(57)【要約】      （修正有）【課題】工具を用いずに手で操作することができ、操作性が良く、締め付けた後は緩みが生じないノブナットを提供する。【解決手段】ノブナット１は、本体および回転操作翼３がゴム弾性を示す材質により一体成形されている。本体は上部先端がカットされた円錐形状の外形で、回転操作翼３は、本体外形の下端から上端まで延びる母線を直径とする半円形の形状である。本体内には、下方から上方へ貫通するボルト挿入孔８が形成されており、ボルト挿入孔８の下方内周面に数本のネジが切られるとともに、上端内周面に１周にわたり断面三角形状の突条１０が形成されている。【選択図】図３
0003170082.tif 000002
【実用新案登録請求の範囲】
【請求項１】
ゴム弾性を示す材質により成形され、上部先端がカットされた円錐形状の外形をした本体と、
前記本体と同材質で本体と一体に成形され、本体の周面から外方へ突出する少なくとも２つの回転操作翼とを含み、
前記本体には、底面中央から上部先端へ貫通するボルト挿入孔が形成されており、
前記ボルト挿入孔の下方内周面には、数本のネジが切られており、
前記ボルト挿入孔の上端内周面には、挿入されたボルトのネジ溝に係合する断面三角形状の突条が１周にわたって形成されており、
前記ボルト挿入孔の下方内周面に切られた数本のネジと、上端内周面に形成された突条との間のボルト挿入孔の内周面は、ネジが切られていないことを特徴とする、ノブナット。
【請求項２】
前記本体の底面には、本体内へ凹んだ金属ナットを収容するための収容凹部が形成されていて、当該収容凹部の天面中央から上方へ向かって、前記ボルト挿入孔が形成されていることを特徴とする、請求項１記載のノブナット。
【請求項３】
前記回転操作翼は、前記本体の周面を周方向に見て等間隔で２つ、３つまたは４つ設けられており、
各回転操作翼は、上下方向に本体表面の下端から上端まで延びる母線を直径とする半円形をしていることを特徴とする、請求項１または２記載のノブナット。
【考案の詳細な説明】
【技術分野】
【０００１】
この考案は、工具を用いず手で回すことのできるノブナットに関し、特にエラストマーで一体成形されたノブナットに関する。
【背景技術】
【０００２】
工具を用いずに手で回すナットの代表例は、蝶ナットと呼ばれる金属製のナットである。（たとえば特許文献１〜３参照）
【先行技術文献】
【特許文献】
【０００３】
【特許文献１】実公昭４６−２１２９６号公報
【特許文献２】意匠登録第６１３１６２号公報
【特許文献３】意匠登録第３３０８２９号公報
【考案の概要】
【考案が解決しようとする課題】
【０００４】
たとえばパイプを保持するＵボルトの一端に蝶ナットを螺合して、パイプの固定等を行う場合に、蝶ナットの代わりになる、工具を用いずに操作できる操作性の良い、かつ、ボルトにしっかりと螺合して緩みを生じないノブナットが望まれていた。
また、ボルトに金属製の六角ナットを嵌めて固定した後、当該金属製の六角ナットを覆うように、弾性を示す材質で形成された手で操作することのできるノブナットをボルトに嵌め、ノブナットで金属製六角ナットを覆えば、締結部分の見栄えが良い。
【０００５】
この考案は、このような背景のもとになされたもので、工具を用いずに手で操作することができる操作性の良いノブナットを提供することを主たる目的とする。
この考案は、また、締付時の操作が容易に行え、しかも締め付けた後は緩みが生じないエラストマー製のノブナットを提供することを他の目的とする。
【課題を解決するための手段】
【０００６】
請求項１記載の考案は、ゴム弾性を示す材質により成形され、上部先端がカットされた円錐形状の外形をした本体と、前記本体と同材質で本体と一体に成形され、本体の周面から外方へ突出する少なくとも２つの回転操作翼とを含み、前記本体には、底面中央から上部先端へ貫通するボルト挿入孔が形成されており、前記ボルト挿入孔の下方内周面には、数本のネジが切られており、前記ボルト挿入孔の上端内周面には、挿入されたボルトのネジ溝に係合する断面三角形状の突条が１周にわたって形成されており、前記ボルト挿入孔の下方内周面に切られた数本のネジと、上端内周面に形成された突条との間のボルト挿入孔の内周面は、ネジが切られていないことを特徴とする、ノブナットである。
【０００７】
請求項２記載の考案は、前記本体の底面には、本体内へ凹んだ金属ナットを収容するための収容凹部が形成されていて、当該収容凹部の天面中央から上方へ向かって、前記ボルト挿入孔が形成されていることを特徴とする、請求項１記載のノブナットである。
請求項３記載の考案は、前記回転操作翼は、前記本体の周面を周方向に見て等間隔で２つ、３つまたは４つ設けられており、各回転操作翼は、上下方向に本体表面の下端から上端まで延びる母線を直径とする半円形をしていることを特徴とする、請求項１または２記載のノブナットである。
【考案の効果】
【０００８】
この考案は、本体および回転操作翼がゴム弾性を示す材質により一体成形されており、取り付けられたノブナットに物がぶつかったりしても、ぶつかった物に傷等を与えにくいノブナットである。
また、ボルト挿入孔の入口側（本体の底面側）には、数本のネジが切られており、ノブナットをボルトに取り付ける際に、数本のネジがボルトへの取り付け時のガイドの役目をし、ボルト先端をボルト挿入孔に真っ直ぐに、孔の方向から逸れることなく進入させる。また、ボルト挿入孔の上端内周面には１周にわたって突条が形成されている。この突条がボルトのネジ溝に係合して、ボルト挿入孔の上端部も、しっかりとボルトのネジ溝に係合した状態を保つ。
【０００９】
さらに、ボルト挿入孔の内周面は、下方内周面に切られた数本のネジと、上端内周面に形成された突条との間は、平らな内周面となっており、ボルト挿入孔に挿入されたボルトのネジがこの内周面に食い込み、ボルトに対してノブナットは緩みなくしっかりと取り付けられる。
さらに、取り付け時には、ノブナットの入口側の数本のネジをボルトにネジ込んだ後、ノブナットを回転させずにボルトに対して真っ直ぐに押し込む操作によっても取り付けることが可能である。一方、ノブナットを弛める際には、ノブナットを直線状に引っ張っても緩まず、ノブナットを回転させなければ、ノブナットを弛めることができない。
【００１０】
従って、操作性（取付性）が良く、しかもしっかりとボルトに固定できる、手動操作可能なノブナットを提供することができる。
ノブナットの本体底面に金属ナット用の収容凹部が形成されていれば、金属の六角ナットを固定した後、その上からノブナットを嵌めて二重に固定する場合に、六角ナットが隠れて、固定時の見栄えが良くなる。
【００１１】
さらに、回転操作翼は、本体に対してその中心軸線から放射状に対称な位置に突出しているいわゆる２枚操作羽根、３枚操作羽根または４枚操作羽根の回転操作翼を備えており、かつ、回転操作翼は先端がカットされた円錐形状の本体から半円形に突出している。よって、全体の形状がシンプルでかつ、やさしい、またはやわらかい印象を与えて美感に富み、しかも半円形の操作翼は操作がし易いという利点を有する。
【図面の簡単な説明】
【００１２】
【図１】図１は、この考案の一実施形態に係るノブナットを示す斜視図であり、（Ａ）は２翼のノブナット、（Ｂ）は３翼のノブナット、（Ｃ）は４翼のノブナットを示す。
【図２】図２は、この考案の一実施形態に係るノブナットの平面図であり、（Ａ）は２翼のノブナット、（Ｂ）は３翼のノブナット、（Ｃ）は４翼のノブナットを示す。
【図３】図３は、図２におけるＡ−Ａ、Ｂ−ＢまたはＣ−Ｃに沿う断面で示すこの考案の一実施形態に係るノブナットの断面図である。
【考案を実施するための形態】
【００１３】
以下には、この考案の実施の形態を、添付図面を参照して詳細に説明する。
図１は、この考案の一実施形態に係るノブナットの斜視図であり、図２は同じくこの考案の一実施形態に係るノブナットの平面図である。図１および図２においては、それぞれ、（Ａ）が２翼のノブナット、（Ｂ）が３翼のノブナット、（Ｃ）が４翼のノブナットを示している。この図示からわかる通り、この考案に係るノブナットは、手で回す際に操作する操作部としての回転操作翼を、２つ、３つまたは４つ有するものとすることができる。
【００１４】
図１および図２を参照して、ノブナット１は、本体２と回転操作翼３とを備えている。本体２は、上部先端がカットされた円錐形状の外形をしている。本体１は、ゴム弾性を示す材質、たとえばエラストマーにより成形されている。回転操作翼３は、本体２の周面から外側へ向かって放射方向に突出するように、かつ、本体中心に対して対称位置に設けられている。回転操作翼３は、ノブナット１のたとえば品番等に応じて、２つ設けられたもの（図１（Ａ）、図２（Ａ））、３つ設けられたもの（図１（Ｂ）、図２（Ｂ））、４つ設けられたもの（図１（Ｃ）、図２（Ｃ））がある。いずれのものも、回転操作翼３は、本体２と同材質、すなわちゴム弾性を示す材質で作られており、本体２と一体に、たとえば射出成形により成形されている。
【００１５】
図３は、図２におけるＡ−Ａ、Ｂ−ＢまたはＣ−Ｃに沿うノブナット１の縦断面図を示す。２翼、３翼および４翼の各ノブナット１は、図３に示すように、その断面構造においては基本的に共通の構造をしている。
図３を参照して、ノブナット１の内部構造についてより詳しく説明する。本体２は、頂角が４５°の円錐形状で、その上部先端がカットされた形状をしている。本体２の底面４には、本体２内へ窪んだ収容凹部５が形成されている。収容凹部５は、平面視円形の凹部で、金属製六角ナット等を収容することのできる凹部となっている。
【００１６】
収容凹部５の天面６の中央から上方に向かって、本体２の上面（上部カット面）７へ貫通するボルト挿入孔８が形成されている。ボルト挿入孔８の下方内周面には、数本のねじ９が切られている。ネジ９は、たとえば３本（螺旋状にネジ山が３周延びるように）形成されている。ネジ９の本数は、２〜５本程度が望ましい。また、ボルト挿通孔８の上端内周面には、断面三角形状の突条１０が１周にわたって形成されている。突条１０は、ボルト挿入孔８の上端内周面から中心方向へ突出するように形成されていて、螺旋状に延びてはおらず、１周にわたって形成された環状の突条である。
【００１７】
なお、突条１０は、断面視において、三角形状をしているが、上側斜辺に対し下方側斜辺の方がやや長くなるように形成した断面三角形状であることが望ましい。
また、ボルト挿入孔８の下方内周面に切られたネジ９と、上端内周面に形成された突条１０との間の内周面８１は、平らな内周面となっている。
ボルト挿入孔８の内径を厳密に説明すると、ボルト挿入孔８全体としては、成形時の金型の抜き勾配の必要上、下方から上方に向かって僅かに狭くなるようにテーパが付けられている。そして下方内周面に形成されたネジ９部分は、ボルト挿入孔８の内周面にネジ溝が切られることにより形成されているので、ネジ９の山の頂部を基準にした内径はボルト挿入孔８の内径と等しいが、ネジ９の溝の底を基準にした内径はボルト挿入孔８の内径より大きくなっている。一方、突条１０は、ボルト挿入孔８の内周面から突出するように形成されているので、突条１０の山の先端で規定される内径は、ボルト挿入孔８の内径よりも小さくなっている。
【００１８】
回転操作翼３は、本体２の表面の下端から上端まで延びる線（母線）１１を直径とし、本体２の周面から放射状に外方へ突出する半円形をしている。このような半円形回転操作翼３は、見た目が美しく、やさしい印象を与え、しかも操作がし易いという特徴を有する。
以上説明した実施形態では、本体２の底面４に金属ナットを収容するための収容凹部５が形成された構成を説明したが、収容凹部５を設けない構成のノブナットとしてもよい。
【００１９】
その他、この考案は、実用新案登録請求の範囲に記載された事項の範囲で種々の設計変更を施すことが可能である。
【符号の説明】
【００２０】
１    ノブナット
２    本体
３    回転操作翼
４    底面
５    収容凹部
６    収容凹部の天面
７    上面
８    ボルト挿入孔
９    ネジ
１０  突条
１１  母線
【図１】
0003170082.tif 000003
【図２】
0003170082.tif 000004
【図３】
0003170082.tif 000005